(57)【要約】【課題】使用できる内容物の種類が限定されず、しかも、使いやすい容器を提供する。【解決手段】ペースト状化粧料２を収容する容器本体１と、この容器本体１の上面開口を着脱自在に蓋する蓋体４と、上記容器本体１内のペースト状化粧料２上に載置する中蓋５とを備えている。そして、この中蓋５を上記容器本体１の内周面に沿う方向に回動自在に構成し、上記中蓋５に、その中央部から外周面に向かって延びる切欠き部１３を穿設し、この切欠き部１３から、ペースト状化粧料２を掬い上げて切欠き部１３を経由し中蓋５上に送る下向き傾斜板１４を突設し、上記中蓋５に、それ自体を上記周方向に回動させる摘まみ部１２を設けるようにしている。【選択図】図２
2006240640.tif 000002
【特許請求の範囲】
【請求項１】
ペースト状内容物を収容する容器本体と、この容器本体の上面開口を着脱自在に蓋する蓋体と、上記容器本体内のペースト状内容物上に載置する中蓋とを備え、この中蓋を上記容器本体の内周面に沿う方向に回動自在に構成し、上記中蓋に、その中央部から外周面に向かって延びる切欠き部を穿設し、この切欠き部から、ペースト状内容物を掬い上げて切欠き部を経由し中蓋上に送る掬い上げ具を突設し、上記中蓋に、それ自体を上記周方向に回動させる回動操作具を設けたことを特徴とする容器。
【請求項２】
上記掬い上げ具が、上記切欠き部の相対向する両側面の一方から下向きに延びるとともに上記両側面の他方に向かって傾斜する下向き傾斜板で構成され、この下向き傾斜板の下端部が上記切欠き部の下面開口より下側に位置している請求項１記載の容器。
【請求項３】
上記中蓋の外周面が、外側に向かって下り傾斜状に傾斜する傾斜面に形成され、この傾斜面の下端縁が上記容器本体の内周面に回動自在に当接している請求項１または２記載の容器。
【請求項４】
上記中蓋の外周面にねじ部が形成され、上記容器本体の内周面に、上記ねじ部にら合するねじ部が形成されている請求項１または２記載の容器。
【発明の詳細な説明】
【技術分野】
【０００１】
本発明は、ペースト状化粧料，自動車用ワックス等の各種のペースト状内容物を適量取り出すことのできる容器に関するものである。
【背景技術】
【０００２】
従来から、柔らかい内容物（例えば、クリーム状，ペースト状等の内容物）を収容する容器として、その内容物を適量取り出すため、図１１に示すように、内容物２１を収容する容器本体２２と、この容器本体２２の上部外周面に着脱自在に螺合する蓋部材（図示せず）と、上記容器本体２２の内周面に摺動可能に嵌合する中蓋２３とを備え、この中蓋２３の中央に一対の押出孔２３ａを穿設するようにしたものが提案されている（例えば、特許文献１参照）。この容器では、使用時に、蓋部材を取り外し、内容物２１上に載置した中蓋２３の一部分（図１１では、上記両押出孔２３ａの一方を閉鎖するようにして、この一方の押出孔２２ａ）を指で押さえて中蓋２３を押し下げ、これに伴い内容物２１に圧力を加えて他方の押出孔２３ａから内容物２１を中蓋２３上に押し出し、この押し出た内容物２１を指で掬い取るようにしている。
【特許文献１】特開２００４−１７５４０３号公報
【発明の開示】
【発明が解決しようとする課題】
【０００３】
しかしながら、上記の容器では、使用時に、中蓋２３の一部分を強い力で押さえ付けて中蓋２３全体を下降させなければならず、これにより、内容物２１に大きな負担を与えてしまい、容器本体２２内に収容できる内容物２１の種類が限定されるという問題や、中蓋２３を強い力で押さえ付けなければならないため、作業が厳しいという問題がある。しかも、強く押さえ付けすぎると、内容物２１が中蓋２３上に押し出されすぎてしまい、適量掬い取れない等、使い勝手が悪いという問題もある。しかも、内容物２１上に水が少し溜まると、中蓋２３を強い力で押さえ付けただけでは、上記水を押出孔２３ａから押し出すことができず、上記水で内容物２１が薄まったり、変質したりするという問題もある。
【０００４】
本発明は、このような事情に鑑みなされたもので、収容できる内容物の種類が限定されず、しかも、使い勝手がよい容器の提供をその目的とする。
【課題を解決するための手段】
【０００５】
上記の目的を達成するため、本発明の容器は、ペースト状内容物を収容する容器本体と、この容器本体の上面開口を着脱自在に蓋する蓋体と、上記容器本体内のペースト状内容物上に載置する中蓋とを備え、この中蓋を上記容器本体の内周面に沿う方向に回動自在に構成し、上記中蓋に、その中央部から外周面に向かって延びる切欠き部を穿設し、この切欠き部から、ペースト状内容物を掬い上げて切欠き部を経由し中蓋上に送る掬い上げ具を突設し、上記中蓋に、それ自体を上記周方向に回動させる回動操作具を設けたという構成をとる。
【発明の効果】
【０００６】
すなわち、本発明の容器は、ペースト状内容物を収容する容器本体と、この容器本体の上面開口を着脱自在に蓋する蓋体と、上記容器本体内のペースト状内容物上に載置する中蓋とを備えており、この中蓋を上記容器本体の内周面に沿う方向に回動自在に構成し、上記中蓋に、その中央部から外周面に向かって延びる切欠き部を穿設し、この切欠き部から、ペースト状内容物を掬い上げて切欠き部を経由し中蓋上に送る掬い上げ具を突設し、上記中蓋に、それ自体を上記周方向に回動させる回動操作具を設けている。したがって、本発明の容器では、使用時に、上記中蓋の回動操作具を手指で回動操作して（すなわち、回動操作具を手指で所定の方向に回動させて）、上記中蓋自体を上記所定方向に回動させると、この回動に伴って、上記中蓋に設けた掬い上げ具も回動し、この回動の際に、上記掬い上げ具でペースト状内容物を掬い上げ、この掬い上げたペースト状内容物を切欠き部を通して上方に移動させ中蓋上に送る。このとき、上記回動の角度を適正に設定することにより、適量のペースト状内容物を中蓋上に掬い上げることができる。そして、この中蓋上に掬い上げたペースト状内容物を手指に移し取って化粧等することを行う。
【０００７】
このように、本発明の容器では、上記中蓋を回動操作することにより、適量のペースト状内容物を上記中蓋上に掬い上げることができる。しかも、上記回動時に、上記中蓋に設けた掬い上げ具で柔らかいペースト状内容物を掬い上げるだけであり、小さな力で掬い上げることができる。したがって、この掬い上げ時に、ペースト状内容物に大きな負担を与えることがなく、容器本体に収容できるペースト状内容物の種類が限定されない。しかも、上記中蓋の回動操作具を手指で回動操作するのに、小さな力で行えるため、上記中蓋をゆっくりと回動操作することができ、これにより、正確に所定の角度だけ回動させて適量のペースト状内容物を掬い上げることができ、使い勝手がよい。しかも、ペースト状内容物上に水が少し溜まっても、上記回動時に、ペースト状内容物と一緒に水を中蓋上に掬い上げることができ、上記水でペースト状内容物が薄まったり、変質したりするのを防ぐことができる。なお、本発明において、「ペースト状内容物」とは、クリーム状，ゲル状の内容物を含む意味であり、内容物としては、化粧料，車用（例えば、自動車用）ワックス，医薬品，食料品等、各種のものがあげられる。
【０００８】
また、上記掬い上げ具が、上記切欠き部の相対向する両側面の一方から下向きに延びるとともに上記両側面の他方に向かって傾斜する下向き傾斜板で構成され、この下向き傾斜板の下端部が上記切欠き部の下面開口より下側に位置していると、上記下向き傾斜板でペースト状内容物を確実に掬い上げ、切欠き部の相対向する両側面間を通して中蓋上に送ることができる。
【０００９】
また、上記中蓋の外周面が、外側に向かって下り傾斜状に傾斜する傾斜面に形成され、この傾斜面の下端縁が上記容器本体の内周面に回動自在に当接していると、容器本体の内周面と中蓋の外周面との間に隙間がなく、上記両周面の間からペースト状内容物が漏れ出すことがない。
【００１０】
また、上記中蓋の外周面にねじ部が形成され、上記容器本体の内周面に、上記ねじ部にら合するねじ部が形成されていると、上記回動時に上記中蓋が容器本体および蓋体の軸心方向に沿って下降し、傾くことがない。
【発明を実施するための最良の形態】
【００１１】
つぎに、本発明の実施の形態を図面にもとづいて詳しく説明する。
【００１２】
図１および図２は本発明の容器の一実施の形態を示している。この実施の形態では、容器として、化粧料容器を用いている。これらの図において、１は有底円筒体からなる容器本体であり、内部にペースト状化粧料（ペースト状内容物）２が収容されている。この容器本体１には、その周側壁の上部外周面にねじ部１ａが形成されており、上記周側壁の中間高さ位置よりやや下側部分の外周面から円環状のスカート部３が突設されている。４は有天円筒体からなる蓋体であり、その内周面に、上記ねじ部１ａにら合するねじ部４ａが形成されている。この蓋体４は、閉蓋状態では、上記スカート部３の上面に回り止め状に当接している。
【００１３】
５は上記容器本体１の上面開口から出し入れ自在な中蓋であり、図３〜図７に示すように、円盤状体からなる蓋本体１１と、この蓋本体１１の上面に立設される２個の摘まみ部（回動操作具）１２とを備えている。上記蓋本体１１には、その中央部から外周面近傍にまで延びる１条の切欠き部１３が穿設されており、この切欠き部１３の相対向する両側面（図３では、前後両側面）のうち、一方の側面（図３では、後側面）に、他方の側面１３ｂの方に向かって（図３では、前側に向かって）下り傾斜状に傾斜する下向き傾斜板（掬い上げ具）１４が突設されている。この下向き傾斜板１４は、その下端部が上記切欠き部１３の下面開口１３ａ（図６参照）より下側まで延びており、上記中蓋５を、上記容器本体１内に収容したペースト状化粧料２上に載置した状態では、上記下向き傾斜板１４の下部がペースト状化粧料２内に入り込むようにしている（図２参照）。また、上記他方の側面１３ｂ（図３では、前側面）は、上記一方の側面から遠ざかる方向に向かって（図３では、前側に向かって）下り傾斜状に（上記下向き傾斜板１４の傾斜角度と同じ角度で）傾斜している。
【００１４】
上記中蓋５は、その外周面５ａが、外側に向かって下り傾斜状に傾斜する傾斜面に形成されており、この傾斜面の下端縁が上記容器本体１の内周面に、この内周面に沿う方向に回動自在に当接している。また、上記中蓋５には、その下面に、その外周縁から内側に向かって上り傾斜状に傾斜する傾斜面と、水平な天井面とからなる円錐台形状の凹部５ｂが形成されている。また、上記両摘まみ部１２は、上記蓋本体１１の中央部から外周縁部にまで延びる一対の平板体からなり、それぞれ相対峙する状態で（すなわち、１列に並ぶようにして）立設されている。
【００１５】
上記構成において、使用時には、開蓋状態にしたのち、中蓋５の両摘まみ部１２を手指で持ちながら、所定の方向に（この実施の形態では、半時計回り方向に）所定の角度だけ回動操作することを行う（図８参照）。これにより、上記中蓋５およびこれに設けた下向き傾斜板１４も上記所定方向に所定角度だけ回動し、この回動の際に、上記下向き傾斜板１４でペースト状化粧料２を掬い上げ切欠き部１３間を通して上方に移動させ中蓋５上に送る（図９参照）。このとき、上記回動させる角度を適宜設定することにより、適量のペースト状化粧料２を中蓋５上に掬い上げることができる。そして、この中蓋５上に掬い上げたペースト状化粧料２を手指に移し取り化粧等することを行う。
【００１６】
このように、上記実施の形態では、中蓋５を回動操作することにより、適量のペースト状化粧料２を中蓋５上に掬い上げることができる。しかも、上記回動時に、中蓋５に設けた下向き傾斜板１４でペースト状化粧料２を掬い上げるだけであり、小さな力で掬い上げることができる。したがって、この掬い上げ時に、ペースト状化粧料２に大きな負担を与えることがない。しかも、上記中蓋５の摘まみ部１２を手指で回動操作するのに、小さな力で行えるため、上記中蓋５をゆっくりと回動操作することができ、これにより、正確に所定角度だけ回動させて適量のペースト状化粧料２を掬い上げることができる。しかも、ペースト状化粧料２上に水が少し溜まっていても、上記回動時に、ペースト状化粧料２と一緒に水を中蓋５上に掬い上げることができ、水でペースト状化粧料２が薄まったり、変質したりするのを防ぐことができる。しかも、中蓋５がペースト状化粧料２上に載置されているため、ペースト状化粧料２の上面に雑菌等が付着しない。しかも、ペースト状化粧料２を使い果たしたのちは、上記中蓋５を、ペースト状化粧料２を収容した他の容器本体１にセットして使用することもできる。
【００１７】
図１０は上記容器本体１および中蓋５の変形例を示している。この例では、上記中蓋５の外周面５ａが円筒形状に形成されており、この円筒形状の外周面にねじ部１６が形成されている。また、上記容器本体１の内周面に、上記中蓋５のねじ部１６にら合するねじ部１７が形成されている。それ以外の部分は、上記実施の形態に用いた容器本体１および中蓋５と同様であり、同様の部分には同じ符号を付している。これら容器本体１および中蓋５を用いた場合にも、上記実施の形態と同様の作用・効果を奏する。しかも、回動操作時に上記中蓋５が容器本体１および中蓋５の軸心方向に沿って降下するため、傾くことがない。
【００１８】
なお、上記実施の形態および変形例では、上記中蓋５の蓋本体１１に１条の切欠き部１３を穿設しているが、これに限定するものではなく、上記蓋本体１１の中央部から外周面に向かって放射状に延びる複数条の切欠き部１３を穿設してもよい。
【図面の簡単な説明】
【００１９】
【図１】本発明の容器の一実施の形態を示す分解斜視図である。
【図２】上記容器の断面図である。
【図３】中蓋の平面図である。
【図４】上記中蓋の側面図である。
【図５】上記中蓋の要部の側面図である。
【図６】上記中蓋の断面図である。
【図７】上記中蓋の要部の断面図である。
【図８】上記容器の作用を示す断面図である。
【図９】上記容器の作用を示す斜視図である。
【図１０】容器本体および中蓋の変形例を示す断面図である。
【図１１】従来例を示す断面図である。
【符号の説明】
【００２０】
１  容器本体
２  ペースト状化粧料
４  蓋体
５  中蓋
１２  摘まみ部
１３  切欠き部
１４  下向き傾斜板
【図１】
2006240640.tif 000003
【図２】
2006240640.tif 000004
【図３】
2006240640.tif 000005
【図４】
2006240640.tif 000006
【図５】
2006240640.tif 000007
【図６】
2006240640.tif 000008
【図７】
2006240640.tif 000009
【図８】
2006240640.tif 000010
【図９】
2006240640.tif 000011
【図１０】
2006240640.tif 000012
【図１１】
2006240640.tif 000013